(57)【要約】【課題】外観上から看取されない隠しポケット内に携帯電話を収納することにより、使用者に携帯電話の存在を意識させずに安全確実な携行と使用を可能とし、シルエットにも悪影響を与えない携帯電話用隠しポケットを有するボトムスを提供することを目的とする。【解決手段】ボトムスとしての前ダーツを有するズボン１もしくはスカート１４の内側面に、該前ダーツ６，１５を構成する襞の内側を出入口６ａ，１５ａとする袋状の隠しポケット７を、ボトムスの上端部の直下部分に位置する内側面に携帯電話８を収納するのに必要最小限の空間領域を保持するように形成した携帯電話用隠しポケットを有するボトムスを基本手段としている。【選択図】図１
2006283267.tif 000002
【特許請求の範囲】
【請求項１】
前ダーツを有するボトムスにおいて、前ダーツを構成する襞に沿って出入口を有する携帯電話を収納可能な隠しポケットを形成したことを特徴とする携帯電話用隠しポケットを有するボトムス。
【請求項２】
前ダーツを有するボトムスの内側面に、該前ダーツを構成する襞の内側を出入口とする袋状の隠しポケットを形成し、この隠しポケット内に携帯電話を収納可能としたことを特徴とする携帯電話用隠しポケットを有するボトムス。
【請求項３】
前ダーツを有するボトムスの内側面に、該前ダーツを構成する襞の内側を出入口とする袋状の隠しポケットを、ボトムスの上端部の直下部分に位置する内側面に携帯電話を収納するのに必要最小限の空間領域を保持するように形成したことを特徴とする携帯電話用隠しポケットを有するボトムス。
【請求項４】
前記出入口は前ダーツの襞に隠れて外部から看取されない請求項１，２又は３記載の携帯電話用隠しポケットを有するボトムス。
【請求項５】
隠しポケットは収納した携帯電話をボトムスの上端部から吊支するように形成されている請求項１，２，３又は４記載の携帯電話用隠しポケットを有するボトムス。
【請求項６】
前記携帯電話に一端が連結されたストラップを隠しポケットの出入口から導出し、該ストラップの他端部に取り付けられたクリップをベルト通しに嵌合固定可能とした請求項１，２，３，４又は５記載の携帯電話用隠しポケットを有するボトムス。
【請求項７】
ボトムスがズボンである請求項１，２，３，４，５又は６記載の携帯電話用隠しポケットを有するボトムス。
【請求項８】
ボトムスがスカートである請求項１，２，３，４，５又は６記載の携帯電話用隠しポケットを有するボトムス。
【発明の詳細な説明】
【技術分野】
【０００１】
本発明はズボンやスカート等各種のボトムスにおいて、ダーツ部の襞に沿って外観上から看取されない隠しポケットを形成して、該隠しポケット内に携帯電話をその存在を意識することなく、かつ、シルエットにも悪影響を与えずに収納可能とした携帯電話用隠しポケットを有するボトムスに関するものである。
【背景技術】
【０００２】
近時携帯電話が業務用，プライベート用を問わず広く普及しており、外出する際の必需品ともなっている。この携帯電話の携行手段として、所持しているバッグ内に収納する方法が通例であるが、バッグを持たない場合や常時身につけて携行したい場合はスボンやスカートといったボトムス、或いは上着やシャツのポケット内に収納して携行するケースも多い。
【０００３】
特許文献１には、ズボンやスカートのポケットに入れた携帯電話などの内容物が太ももの上ではなく「前腹部」に収まるようなポケットを形成することで、膝の上に荷物を載せた際に内容物が壊れたり太ももに触れることなくし、ポケットの収容能力を増やすことを目的として、ズボンまたはスカートの前側の部分のうち、足の付け根ラインより上の部分の範囲内に横長のポケットを設け、ズボンまたはスカートの外側から出し入れできるポケットの入口を設けたボトムスの構成が開示されている。
【０００４】
特許文献２には、携帯電話専用のポケットを形成する袋体を電磁波を遮断する布地又は織物地で形成したズボンを提供することを目的として、ズボンの後部に形成された携帯電話収容ポケット開口部と、この携帯電話収容ポケット開口部に連通されて携帯電話を収容することができるとともに電磁波を遮断する電磁波遮断布地又は電磁波遮断織物地で形成された携帯電話収容ポケット袋体を有してなる携帯電話収容ポケットを設けたズボンが記載されている。
【特許文献１】特開２００２−３３９１１５号公報
【特許文献２】実用新案第３０４３１３１号
【発明の開示】
【発明が解決しようとする課題】
【０００５】
前記したように外出する人がバッグ等を持っていない場合には、携帯電話を手で持つと煩わしくて手の使用が不便になるので、特に男性は携帯電話をズボンの後ろポケット又はサイドポケット等に入れて持ち歩くのが普通である。しかし携帯電話を後ろポケットに入れると、使用者が椅子等に着座した際に携帯電話に強い圧迫力が加わって破損する危険性があり、サイドポケットに入れた場合でも歩行時に携帯電話が使用者の脚部に断続的に接触することによる不快感がある。更にサイドポケット内に携帯電話を深く差し込まないと、体の大きな動きによって携帯電話が不用意に落下する等の不具合が発生する。また、男性女性とも携帯電話をズボンやスカートのポケット内に入れることで該ポケットが膨らんだ状態となるので、外部から携帯電話が看取できて格好が悪く、シルエットも崩れてしまうという難点がある。
【０００６】
そこで本発明は上記従来の問題点に鑑みて、外観上から看取されない隠しポケット内に携帯電話を収納することにより、使用者に携帯電話の存在を意識させずに安全確実な携行と使用を可能とし、かつ、シルエットにも悪影響を与えない携帯電話用隠しポケットを有するボトムスを提供することを目的とするものである。
【課題を解決するための手段】
【０００７】
本発明は上記目的を達成するために、前ダーツを有するボトムスにおいて、前ダーツを構成する襞に沿って出入口を有する携帯電話を収納可能な隠しポケットを形成した携帯電話用隠しポケットを有するボトムスを基本として提供する。具体的には、前ダーツを有するボトムスの内側面に、該前ダーツを構成する襞の内側を出入口とする袋状の隠しポケットを形成し、この隠しポケット内に携帯電話を収納可能とした構成、前ダーツを有するボトムスの内側面に、該前ダーツを構成する襞の内側を出入口とする袋状の隠しポケットを、ボトムスの上端部の直下部分に位置する内側面に携帯電話を収納するのに必要最小限の空間領域を保持するように形成した構成を提供する。
【０００８】
また、前記出入口は前ダーツの襞に隠れて外部から看取されない構成とし、隠しポケットは収納した携帯電話をボトムスの上端部から吊支するように形成する。更に、前記携帯電話に一端が連結されたストラップを隠しポケットの出入口から導出し、該ストラップの他端部に取り付けられたクリップをベルト通しに嵌合固定可能とする。そして、ボトムスはズボン或いはスカートとする。
【発明の効果】
【０００９】
本発明にかかる携帯電話用隠しポケットを有するボトムスによれば、隠しポケット自体の存在が外部から視認されず、しかも使用者は該隠しポケット内に収納した携帯電話の存在を意識することなく、かつ、ボトムスのシルエットを崩すことなく携行可能である。また、携帯電話はボトムスの上端部から吊支するように隠しポケットに収納されているため、携帯電話が太もも部にまで至らず、前腹部に吊支するような状態に収納される。そのため、携帯電話の収納の有無にかかわらずボトムスのシルエットに影響を与ず、携帯電話の取り出し、収納が容易であるとともに、直接下腹に響くため、着信をバイブレータ設定としてあっても認識が容易である。よって、本発明にかかる携帯電話用隠しポケットは携帯電話のホルスタとして安全確実な携行と使用を可能とし、操作上の違和感は生じない。歩行時においても携帯電話が使用者の脚部に断続的に接触する等の不快感をなくすことができる。更に使用者が椅子等に着座した場合でも、携帯電話に圧迫力が加わることがなく、自然な状態で使用者の脚部にフィットさせることができる。
【００１０】
また、使用者が該隠しポケット内に携帯電話を収納してからストラップに取り付けられたクリップを隠しポケットの出入口から導出してベルト通しに嵌合固定することにより、携帯電話の取り出しと収納操作を容易として安全に使用することができる。更に隠しポケットの空間領域を携帯電話を収納するために必要最小限の広さが得られるように保持して形成したことにより、携行している携帯電話の揺動は最小限に抑えられ、ポケットの膨張に起因するシルエットの低下等の問題は発生しないという各種の効果が得られる。
【発明を実施するための最良の形態】
【００１１】
以下図面に基づいて本発明にかかる携帯電話用隠しポケットを有するボトムスの最良の実施形態を説明する。図１はボトムスとしてのズボンに本発明にかかる携帯電話用隠しポケットを形成した例を示す正面図であり、図２は図１において隠しポケットを仮想線で示した正面図である。図において、１はズボン、２はベルト通し、１２はベルト、３，３はサイドポケット、４，４はズボン前方側の折目、５，５は第１前ダーツ、６，６は第２前ダーツである。本実施形態では、ズボン１の内側面で右側の第２前ダーツ６を構成する襞に沿って具体的には襞の内側を出入口とする袋状の隠しポケット７が外観上から看取されないように形成されており、この隠しポケット７内に携帯電話８が収納されている。図１に示すように、隠しポケット７は、ズボン１の右側の第２前ダーツ６の襞に隠れて、その存在が携帯電話８を収納していない場合は勿論、収納している場合であっても外観上判らないようになっており、このことが本発明の特徴である。
【００１２】
図３の隠しポケットの要部斜視図，図４の使用状態を示す要部拡大正面図，図５の隠しポケットの形状図に示すように、隠しポケット７は右側の第２前ダーツ６を構成する襞の内側の上側部を出入口６ａとしてズボン１の内側面に形成されており、出入口６ａに連接して携帯電話８を収納するのに必要最小限の空間領域を保持するように形成されており、隠しポケット７内に収納された携帯電話８は揺動することが少なく、あたかも携帯電話８のホルスタに収納されたようにズボン１の上端部から吊支するように収納される。尚、図示例では折りたたみ式の携帯電話８を図示したが、折り畳まない携帯電話等にあってはその携帯電話の形状に合わせて必要最小限の空間領域を選択決定すればよい。
【００１３】
使用者は図４に示すように隠しポケット７内に携帯電話８を収納し、この携帯電話８に一端が連結されたストラップ９を隠しポケット７の出入口６ａから導出して該ストラップ９の他端部に取り付けられたクリップ１０をベルト通し２に嵌合固定して使用することもできる。尚、上記の実施形態では使用者が右手で携帯電話８を出し入れ操作することを想定し、右側の第２前ダーツ６に隠しポケット７を形成したが、使用者が左利きのケースでは、ズボン１の内側面で前記とは他方側の左側に位置する第２前ダーツ６を構成する襞の内側を出入口とする袋状の隠しポケット７を配設してもよいし、左右双方に形成してもよい。更に、第２前ダーツ６のみならず、第１前ダーツ５の左右一方又は双方に形成してももよい。更には、前ダーツのみならず、ボトムスの背部や任意の位置にあるダーツにも本発明を適用することは可能である。
【００１４】
図６は上記隠しポケット７の配設例を示す要部断面図であって、１３は前記ベルト１２を巻着支持するためにスボン１の上端部の内部に配設した芯材であり、この芯材１３の直下部分でズボン１の内側面に前記隠しポケット７が縫着して形成されている。図７は上記により形成された隠しポケット７内に携帯電話８を収納した状態を示す要部断面図である。
【００１５】
かかる構成によれば、隠しポケット７が第２前ダーツ６を構成する襞に沿って、襞の上側部を出入口としてズボン１の内側面に形成されているため、隠しポケット７自体の存在が外部から視認されることがなく、使用者が該隠しポケット７内に携帯電話８を収納してからストラップ９に取り付けられたクリップ１０をベルト通し２に嵌合固定することにより、隠しポケット７を携帯電話８のホルスタとして安全に利用することができる。尚、ストラップ９を使用するか否かは使用者の任意である。携帯電話８の取り出しと収納操作は容易であって、携帯電話８にバイブレータを設定した場合でも敏感に感知可能であり、操作上の違和感もなく安定している。更に本発明によれば、図２に示すような歩行時や立位時においては勿論、図８，図９に示すように使用者が椅子１１に着座した場合でも携帯電話８に圧迫力が加わることがなく、自然な状態で使用者の前腹部にフィットさせることができる。
【００１６】
前記したように隠しポケット７の空間領域を、携帯電話８を収納するために必要最小限の広さが得られるように保持して形成したことにより、該携帯電話８を携行していることが外部から視認されることがなく、しかも携行している携帯電話８の揺動は最小限に抑えることができる上、歩行時に携帯電話が使用者の脚部に断続的に接触する等の不快感は生じることがなく、かつ、ポケットの膨張に起因するシルエットの低下等の問題は発生しない。
【００１７】
図１０はボトムスとしての婦人用のスカート１４に本発明を適用した実施形態を示す正面図であり、１５は前ダーツである。ズボン１の場合と同様にしてスカート１４の内側面で上記前ダーツ１５を構成する襞の内側を出入口１５ａとする袋状の隠しポケット７が配設されており、この隠しポケット７内に携帯電話８（図示略）を収納する。ボトムスがズボン１からスカート１４に換わった以外はズボン１の場合と同様であり、隠しポケット７の構成及び使用時の動作態様は前記ズボン１の隠しポケット７の構成及び動作態様と一致している。尚、図示は省略するが、前記ズボン１の例と同様に携帯電話８に一端が連結されたストラップを隠しポケット７の出入口１５ａから導出して、該ストラップの他端部に取り付けられたクリップをベルト等の一端に固定して使用することもできる。
【産業上の利用可能性】
【００１８】
以上詳細に説明したように、本発明によれば隠しポケット自体の存在が外部から視認されず、使用者は該隠しポケット内に収納した携帯電話の存在を意識せずに安全確実に携行して使用することが可能であり、歩行時においても携帯電話が使用者の脚部に断続的に接触する等の不快感をなくしてシルエット性を高め、椅子に着座した場合でも携帯電話に圧迫力が加わることがなく、自然な状態で使用者の脚部にフィットさせることができるので、一般のスボンやスカートの外、ゴルフ用ズボン，作業用ズボン，ジーンズ，婦人用のスラックス及び襞スカート等の各種のボトムスに広く利用することができる。
【図面の簡単な説明】
【００１９】
【図１】携帯電話用隠しポケットをズボンに形成した例を示す正面図。
【図２】図１において隠しポケットを仮想線で示した正面図。
【図３】隠しポケットの要部斜視図。
【図４】使用状態を示す図２の要部拡大正面図。
【図５】隠しポケットの形状図。
【図６】隠しポケットの要部断面図。
【図７】隠しポケット内に携帯電話を収納した状態を示す要部断面図。
【図８】本発明の使用状態の一例を示す斜視図。
【図９】本発明の使用状態の一例を示す斜視図。
【図１０】携帯電話用隠しポケットをスカートに形成した例を示す正面図。
【符号の説明】
【００２０】
１…ズボン
２…ベルト通し
３…サイドポケット
４…折目
５…第１前ダーツ
６…第２前ダーツ
６ａ，１５ａ…出入口
７…隠しポケット
８…携帯電話
９…ストラップ
１０…クリップ
１１…椅子
１２…ベルト
１３…芯材
１４…スカート
１５…前ダーツ
【図１】
2006283267.tif 000003
【図２】
2006283267.tif 000004
【図３】
2006283267.tif 000005
【図４】
2006283267.tif 000006
【図５】
2006283267.tif 000007
【図６】
2006283267.tif 000008
【図７】
2006283267.tif 000009
【図８】
2006283267.tif 000010
【図９】
2006283267.tif 000011
【図１０】
2006283267.tif 000012